(57)【要約】【課題】カメラ付き携帯電話機の撮影時の画像確認を容易にし、記憶した画像確認時の消費電力が少なくて見やすい、さらに操作性の良い携帯電話機を提供する。【解決手段】撮像した画像をメモリーに記憶し、記憶した画像を読み出して確認できるモニター部を有するカメラ付き携帯電話機であって、前記モニター部以外に撮影および画像確認用の電子ビューファインダを具備する携帯電話機とする。【選択図】　　　図８
2004146880.tif 000002
【特許請求の範囲】
【請求項１】
撮像した画像をメモリーに記憶し、記憶した画像を読み出して確認できるモニター部を有するカメラ付き携帯電話機であって、前記モニター部以外に撮影および画像確認用の電子ビューファインダを具備することを特徴とする携帯電話機。
【請求項２】
カメラと電子ビューファインダーが一つの筐体に収納されていることを特徴とする請求項１記載の携帯電話機。
【請求項３】
カメラと電子ビューファインダーが収納された筐体が携帯電話機本体に対し回転可能であることを特徴とする請求項２記載の携帯電話機。
【請求項４】
回転軸がカメラ側に位置することを特徴とする請求項３記載の携帯電話機。
【請求項５】
電子ビューファインダーの画像表示装置がバイステーブル強誘電液晶表示装置であることを特徴とする請求項１記載の携帯電話機。
【請求項６】
電子ビューファインダーの画像表示装置を使用するとモニター部の電源が切れることを特徴とする請求項１または５記載の携帯電話機。
【発明の詳細な説明】
【０００１】
【発明の属する技術分野】
本発明はカメラ付き携帯電話機に関するものである。
【０００２】
【従来の技術】
携帯電話機は、モニターとして液晶表示装置を有し、テンキー等のボタンを操作することで文章を作成して送信することや、インターネット情報を取得して前記液晶表示装置に表示して情報を確認することができる。
【０００３】
最近ではカメラモジュールを組込み、カメラにより撮像したものをメモリーに記憶したり、送信したりできる携帯電話機が増えてきている。カメラモジュールを携帯電話機本体に組込んだものと、カメラモジュールを別体として有し使用するときに携帯電話機本体に装着するタイプが有る。
【０００４】
図１は特開平１１−１３６５５４号公報で開示された従来技術によるカメラ付き携帯電話機の外観図であり、（ａ）はデジタルカメラとして使用している状態、（ｂ）はテレビ電話として使用している状態である。画像の撮影時は（ａ）のようにユーザーは撮影カメラ部１を外側に向ける。撮影カメラ部１からの画像情報は液晶モニター２に表示され、画像確認を行いながら撮影を行う。テレビ電話として使用するときは（ｂ）のように撮影カメラ部１を内側に向け、自身の画像を確認する撮影カメラ部１が携帯電話機本体に対して回転できるカメラ付き携帯電話機である。３は操作部である。
【０００５】
図２、図３は意匠登録第１１５３２５４号公報に記載されているカメラ付き携帯電話機の斜視図と背面斜視図である。液晶表示部４とカメラ部５とが一体に形成された表示部６の正面上方右端および背面上方右端にカメラ７、８を配置し、正面または背面から映像をカメラ部５で写し出すことができ、操作部９が表示部６に対してスライド収納できるカメラ付き携帯電話機である。
【０００６】
図４、図５は意匠登録第１１５４３６３号公報に記載されているカメラ付き携帯電話機の斜視図と背面図である。本体の正面側に液晶表示部１０があり、背面側にもファインダーとして使用できる液晶表示部１１があり、カメラ部１２は回転可能なものであり、正面側と背面側を選択して撮影することができる。
【０００７】
いずれもデジタルカメラ機能を有する携帯電話機であり、撮影した画像は携帯電話機本体に有するメモリーか携帯電話機本体に着脱可能なＩＣカード等に保存される。デジタルカメラの撮像素子にはＣＣＤやＣＭＯＳ等の固体撮像素子が使用されており、有効画素数は、１０万画素から３０万画素、さらに１００万画素と増えてきている。
【０００８】
【発明が解決しようとする課題】
携帯電話機に使用するモニターには消費電力の少ない液晶表示装置が使用されているが、液晶表示装置は外光の強い光の中では表示が見えにくいという欠点を有している。該欠点を解決するために高輝度のバックライトを使用するが、そのために消費電力が多くなる。
【０００９】
カメラ付き携帯電話機で撮影した画像や受信した画像をメモリに保存して置く場合、撮像素子の有効画素が増えるのに比例して保存枚数が減少する。保存した画像をチェックし、取捨選択しないと新しい画像を保存できなくなる。そのためにモニターで確認し取捨選択をするので消費電力が増加する。保存枚数が多くなるほど取捨選択に時間がかかり消費電力が増加する。
【００１０】
本発明の目的は、前記課題を改善するとともに、操作しやすいカメラ付き携帯電話機を提供することにある。
【００１１】
【課題を解決するための手段】
撮像した画像をメモリーに記憶し、記憶した画像を読み出して確認できるモニター部を有するカメラ付き携帯電話機であって、前記モニター部以外に撮影および画像確認用の電子ビューファインダを具備する携帯電話機とする。
【００１２】
前記カメラと電子ビューファインダーが一つの筒状筐体に収納されている携帯電話機とする。筒状筐体の一端にカメラモジュールが収納され、他端に電子ビューファインダーが収納される。カメラモジュールは固体撮像素子とレンズおよび駆動回路等で構成され、電子ビューファインダーは液晶表示装置、ＣＲＴ、ＥＬ等の画像表示装置と拡大用レンズおよび駆動回路等で構成される。カメラで撮影された画像が電子ビューファインダに表示され、拡大して見ることができる。
【００１３】
カメラと電子ビューファインダーが収納された筐体が携帯電話機本体に対し回転可能である携帯電話機とする。通常、携帯電話機とモニターは一体的に取りつけられている。本発明では電子ビューファインダーを見ながら撮影する時、使用者が撮影しやすい位置に筐体を携帯電話機本体に対し回転して使用する。
【００１４】
筐体と携帯電話機本体との回転軸は、筐体のカメラ側に位置する携帯電話機とする。
【００１５】
電子ビューファインダーは、各種の画像表示装置が使用可能である。本発明においては、特にバイステーブル強誘電液晶表示装置を使用する携帯電話機とするのが好ましい。
【００１６】
電子ビューファインダの画像表示装置のスイッチをＯＮ状態にするとモニター部の電源がＯＦＦ状態になる携帯電話機とする。
【００１７】
【発明の実施の形態】
図６は本発明によるビューファインダー付き携帯電話機の正面図、図７はその背面図である。図８は筐体を回転した前側斜視図であり、図９は筐体を回転した後側斜視図である。携帯電話機本体２０と一端にカメラモジュール２２、他端に電子ビューファインダー２３が収納された筒状の筐体２１は、回転軸２４を介して固定されている。携帯電話機本体２０とカメラモジュール２２、電子ビューファインダー２３の電気的接続はパイプ状の回転軸２４内を介して行われている。
【００１８】
撮影をするときは、図８に示すように筐体２１を回転し、電子ビューファインダー２３を覗きやすい位置にして撮影をする。撮影状態は電子ビューファインダー２３でなく、通常の液晶モニター２５を見ながらでも可能である。その際は液晶モニター２５を見やすい位置にして、撮影したい方向にカメラを向ければ良い。
【００１９】
記憶した画像を読み出して確認するときは、通常の液晶モニター２５でも確認できるが、周囲の環境で液晶モニター２５が見にくい時は電子ビューファインダー２３を使用すると良い。電子ビューファインダー２３は覗きこむ方式なので外光の影響を受けずに画像を確認することができる。
【００２０】
電子ビューファインダー２３の収納されている筐体２１の回転軸２４は、カメラモジュール２２側に配置しているので、筐体２１を回転した際に電子ビューファインダー２３が携帯電話機本体から離れる距離を確保できる。そのため、電子ビューファインダー２３を覗きこむときに携帯電話機本体が邪魔にならない。
【００２１】
電子ビューファインダー２３の画像表示装置は、各種の画像表示装置を使用することが可能である。表示画像が小さいので消費電力を少なくできるが、さらに消費電力を小さくするため好ましくは液晶表示装置が良く、さらに好ましくはバイステーブル強誘電液晶表示装置が良い。バックライトを小さくできるし、バイステーブル強誘電液晶表示装置は画像を記憶することが可能であるため、画像を読みこむときだけ電圧をかければ良く、多くの静止画像を確認するときに消費電力を抑えることが可能となる。
【００２２】
さらに反射型の強誘電液晶表示装置を使用すると、反射型電極の反射率が高いため、少ない光でも明るい画像を得ることができる。
【００２３】
電子ビューファインダー２３にはＯＮ、ＯＦＦ用のスイッチ（不図示）が設けられており、電子ビューファインダー２３のスイッチをＯＮすると液晶モニター２５のスイッチがＯＦＦする回路構成としてある（不図示）。
【００２４】
【発明の効果】
モニター部以外に撮影および画像確認用の電子ビューファインダーを具備することで、環境の明暗に左右されずに撮影および画像確認ができる。
【００２５】
カメラと電子ビューファインダーを一つの筐体に収納し携帯電話機本体と分離したので、操作しやすい。
【００２６】
また、カメラと電子ビューファインダーが収納された筐体が携帯電話機本体に対して回転可能としたので電子ビューファインダーを除きこむ姿勢が楽になり、操作性が向上した。
【００２７】
電子ビューファインダーの収納されている筐体の回転軸をカメラモジュール側に配置したので、筐体を回転した際に電子ビューファインダーが携帯電話機本体から離れる距離が長くなり、電子ビューファインダーを覗きこむときに携帯電話機本体が邪魔にならない。
【００２８】
電子ビューファインダーの画像表示装置をバイステーブル強誘電液晶表示装置としたので、画像を読みこむ時だけ電圧をかければ良く、多くの静止画像を確認するときに消費電力を抑えることができた。また、強誘電液晶表時装置は解像度が高いため、撮影時の深度確認ができる。
【００２９】
電子ビューファインダーの画像表示装置を使用するときは、他のモニターの電源が切れるようにしたので、消費電力を抑えることができた。
【図面の簡単な説明】
【図１】従来技術によるカメラ付き携帯電話機の外観図
【図２】カメラ付き携帯電話機の斜視図
【図３】カメラ付き携帯電話機の背面斜視図
【図４】カメラ付き携帯電話機の斜視図
【図５】カメラ付き携帯電話機の背面図
【図６】本発明によるビューファインダー付き携帯電話の正面図
【図７】本発明によるビューファインダー付き携帯電話の背面図
【図８】本発明によるビューファインダー付き携帯電話の筐体を回転した前側斜視図
【図９】本発明によるビューファインダー付き携帯電話の筐体を回転した後側斜視図
【符号の説明】
１　　撮影カメラ部
２　　液晶モニター
３　　操作部
４　　液晶表示部
５　　カメラ部
６　　表示部
７　　カメラ
８　　カメラ
９　　操作部
１０　　液晶表示部
１１　　液晶表示部
１２　　カメラ部
２０　　携帯電話機本体
２１　　筐体
２２　　カメラモジュール
２３　　電子ビューファインダー
２４　　回転軸
２５　　液晶モニター
【図１】
2004146880.tif 000003
【図２】
2004146880.tif 000004
【図３】
2004146880.tif 000005
【図４】
2004146880.tif 000006
【図５】
2004146880.tif 000007
【図６】
2004146880.tif 000008
【図７】
2004146880.tif 000009
【図８】
2004146880.tif 000010
【図９】
2004146880.tif 000011